(57)【特許請求の範囲】
【請求項１】
システムデータを登録する設定端末と、複数の回線パッケージを複数の装着箇所に実装する構内交換装置とを備えた構内交換システムにおけるシステムデータ登録方式であって、
前記複数の回線パッケージの各々が収容することのできる収容回線数に対応する回線パッケージポイント数と、前記構内交換装置が収容することのできる収容回線数の制限値に対応するシステム収容可能ポイント数とを定義し、
前記設定端末は、前記構内交換装置に実装可能な回線パッケージのポイント情報を表示する表示手段と、前記構内交換装置に実装する回線パッケージの設定情報を入力する操作手段とを備え、
前記構内交換装置は、前記設定端末の前記操作手段が設定情報を入力する度にこの設定情報を受信して、設定情報が入力された全ての回線パッケージにおける回線パッケージポイント数の総和と前記システム収容可能ポイント数との差分を算出し、前記設定端末に送信して前記表示手段に表示させることを特徴とする構内交換システムにおけるシステムデータ登録方式。
【発明の詳細な説明】
【０００１】
【発明の属する技術分野】
本発明は、回線パッケージの実装制約を容易に解釈でき、且つ冗長なメモリの増大を抑制することのできる構内交換システムにおけるシステムデータ登録方式に関する。
【０００２】
【従来の技術】
従来、構内交換機システムにおけるシステムデータ登録方式において、特開平０４−１１２３２３号公報や特開平０４−２８８７９４号公報に開示されているように、冗長なメモリの増大を抑制するソフトウエアのパッケージ化方式が知られている。
【０００３】
前者は、要求されるサービスを実現するためのアプリケーションやそのデータを、交換機の記憶媒体にパッケージ化して格納しておき、このパッケージを既存プログラム群とリンケージさせることによって、パッケージに格納された各種サービスの提供を動的可能にしたものである。これによって、サービスの追加や変更などが生じた場合に、パッケージを選択することによってこれに対応することができるので、既存のプログラム群の改造や追加が不要となると共に、メモリ量や処理能力の増大が抑制される。
【０００４】
また、後者の場合は、各種サービスを実現するアプリケーションプログラムと、アプリケーションプログラムを起動すべきか否かを分析・判定するアプリケーション分析プログラムとを、それぞれ、着脱可能な記憶媒体で構成されるパッケージに格納している。これにより、イベントの発生時には、アプリケーション分析プログラムの格納されたパッケージを順次に起動して行くことにより、既存プログラムを変更することなく、所望のサービスを実現するためのアプリケーションプログラムを、容易に、追加したり変更したりすることができる。しかも、冗長なメモリの増大を抑制することもできる。
【０００５】
【発明が解決しようとする課題】
しかしながら、上記従来技術のようなソフトウエアのパッケージ化によるシステムデータ登録方式では、複数種類の回線パッケージを複数の装着箇所に実装できるような形態をとる構内交換システムにおいて、システムデータを登録する際には、個々のシステムが持つ制約事項などを熟知した上で、データ設定を投入する必要がある。したがって、制約事項が複雑になると、必然的に、システムデータの設定も煩雑になるなどの不具合が生じる。
【０００６】
本発明は、このような事情に鑑みてなされたものであり、その目的は、それぞれの回線パッケージに収容回線数などを基にしたポイント数を定義し、さらにシステム全体として収容することができる回線数を基にシステム収容可能ポイント数を定義することにより、複雑な制約事項を伴ったシステムデータの登録を簡易にすることにある。
【０００７】
【課題を解決するための手段】
上記の課題を解決するために、本発明の構内交換システムにおけるシステムデータ登録方式は、システムデータを登録する設定端末と、複数の回線パッケージを複数の装着箇所に実装する構内交換装置とを備えた構内交換システムにおけるシステムデータ登録方式であって、複数の回線パッケージの各々が収容することのできる収容回線数に対応する回線パッケージポイント数と、構内交換装置が収容することのできる収容回線数の制限値に対応するシステム収容可能ポイント数とを定義し、設定端末は、構内交換装置に実装可能な回線パッケージのポイント情報を表示する表示手段と、構内交換装置に実装する回線パッケージの設定情報を入力する操作手段とを備え、構内交換装置は、設定端末の操作手段が設定情報を入力する度にこの設定情報を受信して、設定情報が入力された全ての回線パッケージにおける回線パッケージポイント数の総和とシステム収容可能ポイント数との差分を算出し、設定端末に送信して表示手段に表示させることを特徴とする。
【０００８】
すなわち、本発明の構内交換システムにおけるシステムデータ登録方式は、複数種類の回線パッケージを複数の実装箇所に実装できる形態をとる構内交換システムにおいて、予め、それぞれの回線パッケージに対応して回線パッケージポイント数を付与し、更に、構内交換システム全体として収容することができるトータル回線数を基に、システム収容可能ポイントを付与する。そして、実装する回線パッケージにおける回線パッケージポイント数の総和を、システム収容可能ポイント数以内に納めるように、設定端末の表示を確認しながらシステムデータを登録するシステムデータ登録方式である。
【０００９】
したがって、回線パッケージの複雑な実装の制約を数値的にわかりやすく解釈することができ、さらに、冗長な設定に対するメモリ量の増大を抑えることもできる。云いかえれば、構内交換システムに実装可能なシステム収容可能ポイント数を目安に、所望の個数の回線パッケージを実装することができるので、システムデータの登録を容易に行うことができると共に、回線パッケージの実装制約を超える設定を行うことがないため、冗長なメモリを設定する必要もなくなる。
【００１３】
【発明の実施の形態】
以下、図面を用いて、本発明における構内交換システムのシステムデータ登録方式について詳細に説明する。図１は、本発明のシステムデータ登録方式を実現するための、構内交換システムのブロック図である。この構内交換システムは、制御部１１及び回線ユニツト実装部１２からなる構内交換装置１と、表示部２１及び操作部２２からなる設定端末２とによって構成されている。
【００１４】
制御部１１は、表示部２１に表示させるための回線ユニットのポイント数を演算する手段であり、回線ユニツト実装部１２は、パッケージナンバー１〜ｎに対応する複数の回線ユニットをそれぞれ実装できる回線パッケージである。
【００１５】
また、表示部２１は、制御部１１からの指示に基づいて回線ユニットのポイント数を表示する手段であり、操作部２２は、回線ユニット実装部１２のどの位置にどの回線ユニットを実装するかを入力する手段である。
【００１６】
図２は、図１に示す回線ユニツト実装部に装着される各回線ユニットに対応するポイント数、及び実装制限事項を示す図である。尚、実装制限事項としては、システム収容可能ポイント数と回線ユニットの実装可能制限数の一例を示している。
【００１７】
図２の例では、システム収容可能ポイント数は２４０で、システム（すなわち、構内交換装置１）への回線ユニツトの実装可能数は１０である。したがって、例えば、回線ユニツトＣのポイント数は２４であるので、システム（構内交換装置１）には回線ユニットＣを１０個まで実装することができる。また、回線ユニツトＤのポイント数は３２であるので、システム（構内交換装置１）には回線ユニツトＤを最大７個しか実装することはできない。
【００１８】
図１において、システムデータを設定する際には、先ず、構内交換装置１の制御部１１より、設定端末２の表示部２１にシステム収容可能ポイント数を表示する。すなわち、図２の例で述べれば、表示部２１にシステム収容可能ポイント数として２４０を表示する。
【００１９】
次に、システムデータの設定者が、設定端末２の操作部２２により、構内交換装置１の回線ユニット実装部１２の何れかの位置（１〜ｎ）に、何れかの回線ユニット（Ａ〜Ｄ）を実装するように入力する。すると、制御部１１は、表示部２１に表示されている総ポイント数（すなわち、システム収容可能ポイント数＝２４０）から、今入力された回線ユニットのポイント数の合計を差し引いたポイント数を、表示部２１に表示するように指示する。これによって、表示部２１には、実装可能な残りのポイント数が表示される。
【００２０】
図１、図２を用いて具体的な例を述べれば、表示部１２に、システム収容可能ポイント数として総ポイント数の２４０が表示されているとき、システムデータの設定者が、設定端末２の操作部２２により、回線ユニット実装部１２におけるＮＯ１〜ｎのうちの何れかの複数のパッケージに回線ユニットＢを１０個実装するように入力すると、総ポイント数２４０と回線ユニットＢの合計ポイント数１６０との差分であるポイント数８０が、設定端末２の表示部２１に表示される。これによって、設定者は、ポイント数が８０以下の範囲で、さらに、回線ユニットＡ〜Ｄを任意に実装することができる。
【００２１】
また、表示部２１に総ポイント数２４０が表示されているとき、設定者が、操作部２２によって、回線ユニット実装部１２のパッケージＮＯ１〜ｎに対して、回線ユニットＤを７個実装するように入力すると、表示部２１のポイント数は、２４０−３２×７＝１６を表示する。これによって、設定者は、残りのパッケージに、回線ユニットＡを２個か回線ユニットＢを１個実装できることを確認する。
【００２２】
すなわち、本発明によれば、システムデータを投入する設定端末２に、表示部２１と操作部２２を持たせ、さらに、それぞれの回線パッケージに収容回線数等を基にしたポイント数を定義し、また、システム（構内交換装置１）として収容することが可能な回線数を基にシステム収容可能ポイント数を定義しておく。そして、設定端未２の操作部２２より回線パッケージの実装に関する設定を行う際に設定を入力する度に、システム（構内交換装置１）に付与されたシステム収容可能ポイント数と、実装情報を設定された回線パッケージの総ポイント数との差分を、設定端末２の表示部２１に表示する。これにより、設定者は、表示されているポイント数から、実装可能なポイント数、すなわち、実装可能な回線ユニットの種類及び個数を確認することができる。
【００２３】
また、このようなシステムデータ登録方式により、回線パッケージの実装可能な容量を数値的に把握することができるので、システムデータの登録を容易にすることができる。さらには、制約を超えるような設定がされないため、冗長なメモリを設ける必要がなくなる。
【００２４】
【発明の効果】
以上説明したように、本発明は、システムデータを投入する設定端末に、表示部および操作部を持たせ、設定端末の操作部により、回線パッケージの実装に関する設定を行う際に設定を入力する度に、構内交換システムに付与されたシステム収容可能ポイント数と、実装情報を設定された回線パッケージの合計ポイント数との差分を、設定端末の表示部に表示するというシステムデータ登録方式である。これにより、回線ユニツトの実装に、複雑な制限事項があっても、システムデータの登録を容易に行うことができ、さらに、冗長な設定に対するメモリ量の増加の抑制を図ることができる。
【図面の簡単な説明】
【図１】本発明のシステムデータ登録方式を実現するための、構内交換システムのブロック図
【図２】図１に示す回線ユニツト実装部に装着される各回線ユニットに対応するポイント数、及び実装制限事項を示す図
【符号の説明】
１  構内交換装置
２  設定端末
１１  制御部
１２  回線ユニツト実装部
２１  表示部
２２  操作部
【図１】
0004275300.tif 000002
【図２】
0004275300.tif 000003